(57)【特許請求の範囲】
【請求項１】
第１の走査方向及び第１の走査方向に直交する第２の走査方向を有する感光性アレイであって、
チップを含み、
前記チップ上に概ね矩形のフォトコレクション領域のアレイを含み、前記各フォトコレクション領域が第１及び第２の相補形を含み、１つのフォトコレクション領域の第１の相補形ともう１つのフォトコレクション領域の第１の相補形とが１つのフォトサイトを形成し、各相補形が光電検出デバイスを有し、各相補形の表面積が等しく、またフォトサイトの幾何学的中心が同一直線上にある、
感光性アレイ。
【請求項２】
前記１つのフォトコレクション領域の第２の相補形と、前記もう１つのフォトコレクション領域の第２の相補形とがもう１つのフォトサイトを形成する、請求項１記載の感光性アレイ。
【請求項３】
前記チップ上の概ね矩形のフォトコレクション領域のアレイが前記チップの一端から他端へ延在し、
前記フォトコレクション領域が突合せ可能であり、
前記感光性アレイが特に端部同士を同様のアレイと組み合わされ、全幅アレイを形成する、請求項１記載の感光性アレイ。
【発明の詳細な説明】
【０００１】
【発明の属する技術分野】
本発明は、例えばデジタルスキャナ、コピー機、ファクシミリ機、あるいは他の文書作成または複写デバイスにみられるような、もとの画像から電気信号を発生する感光性チップに関する。
【０００２】
【従来の技術及び発明が解決しようとする課題】
典型的には、画像センサアレイは、画像を有する文書をラスタ走査し、各フォトサイトで見られた微視的画像領域を画像信号電荷に変換する、フォトサイトの感光性アレイを含む。各フォトサイトは１つまたはそれより多くのフォトダイオード、フォトゲートあるいは他の光電検出デバイスを含む。画像信号電荷は蓄積期間を経て増幅され、連続的に作動される多重化トランジスタを通じてアナログビデオ信号として共通出力ライン即ちバスへ伝送される。
【０００３】
高性能画像センサアレイのための好適な設計には、米国特許第５，４７３，５１３号に開示されるように、概して縮小光学系を用いずに１対１の画像形成を可能とするため、走査されるページ幅に相当する幅を有するフォトサイトの感光性アレイが含まれる。しかし、このような"全幅"アレイを提供するためには、比較的大きなシリコン構造体を用いて、図１に示すような多数のフォトサイトを画定しなければならない。このような大きいアレイを形成するための好適な技術は、基体２０上で数個の感光性チップ１０1乃至１０Nの端部同士を組み合わせることである。各チップ１０上には小さな感光性アレイが定義されている。基体２０はアルミナなどのセラミックの形態であることが好ましく、またチップ１０はシリコンまたは他の半導体材料でできていることが好ましい。Ｎは任意の整数をとることができる。
【０００４】
あるいは、チップ１０は電荷結合素子（ＣＣＤ）または他のタイプの感光性半導体であってもよい。
【０００５】
端部同士を組み合わされて１つの全幅アレイを形成するチップ１０は、まず１つのシリコンウエハ上に複数の個々のチップ１０のための回路機構を形成することから作られる。次いでシリコンウエハは回路領域の周囲で切断され即ち「さいの目に切られ」、個々のチップ１０が形成される。典型的には、チップ１０をさいの目に切る技術は化学的エッチングと機械的切断とを組み合わせている。これは、各チップ１０上で、フォトサイトがチップ１０の一端から他端にわたり高精度で離間されているため、チップ１０をウエハから切断する際に正確にさいの目に切る必要があるからである。一連のチップ１０が端部同士を組み合わされ、１つのページ幅の感光性アレイを形成する際に、１つのチップ１０上の端部のフォトサイトと、隣接するチップ１０上の端部にある隣接するフォトサイトとの間の離間による分断を最小限とするよう、フォトサイトの感光性アレイに沿って個々のチップ１０を正確な寸法でさいの目に切ることが望ましい。典型的には、隣接する２つのチップ１０間に小さい間隙３０がある。フォトサイトの幾何学的中心は同一直線上にあり、またフォトサイトは感光性アレイを形成するシリコンチップ１０の構成の如何を問わず、全幅感光性アレイの全幅にわたり均等に離間されていることが理想的である。従来技術では、フォトサイト４０の反復構造を提供するよう、チップ１０のすべてのフォトサイトは正方形または矩形の形状であった。このようにすると、特に図２に示すように隣接するチップ１０間の間隙３０において各チップを基準として反復構造が維持される。
【０００６】
図２に示されるように、フォトサイト４０は典型的には矩形を呈し、電気的絶縁を可能とし、混信を制御し、また導電トレース(conductive traces)が各フォトサイト間を流れるようにするために各フォトサイト４０のＸ方向（高速走査方向）の長さはＹ方向（低速走査方向または文書移動方向）の長さよりも短くなっている。このため、Ｘ方向（高速走査方向）におけるシステムの光学的変調伝達関数（ＭＴＦ）はＹ方向（低速走査方向）におけるそれよりも高い。走査される文書がＹ方向に移動することにより、Ｙ方向のＭＴＦは更に低下する。しかしながら、Ｘ方向の高いＭＴＦのもたらす否定的結果についてはここで扱う必要がある。
【０００７】
例えば、ハーフトーン文書は典型的にＸ方向に一定のドット頻度(dot frequency)を有する。ビートはドット頻度とフォトサイト位置の頻度との間で発生するため、再現された文書上に不都合なモアレパターンが生じる。従って、特にＸ方向（高速走査方向）のモアレパターンを低減または除去する、新しいフォトサイトの感光性アレイが必要とされている。
【０００８】
図３に示されるように、従来の技術では感光性チップ上に２つの異なる形状のフォトサイトを提供することにより、隣接するチップの境界における画像品質を改良する試みがなされた。このパターンは米国特許第５，５５２，８２８号に概ね開示されている。通常のフォトサイト６０は概ね正方形またはわずかに長方形であり、他方端部のフォトサイト７０は台形を呈する。端部のフォトサイト７０が概ね台形であることの利点は、各端部のフォトサイト７０の全幅は各通常のフォトサイト６０の幅と等しいが、端部のフォトサイト７０の幾何学的中心がチップ１０のエッジにわずかに近く、これによりチップ１０間のあらゆるチップ間隔の問題の補償をたすける点である。しかしながら、この形状の構成では、モアレパターンは低減または除去されない。
【０００９】
米国特許第５，０３１，０３２号は異なるカラーのフォトサイトを有する全幅感光性アレイのためのフォトサイトパターンを開示している。三色の異なる原色を呈する矩形のフォトサイトを形成するのに多様な幾何学的形状が用いられているが、この形状の構成では、モアレパターンは低減または除去されない。
【００１０】
【課題を解決するための手段】
本発明の第１の態様によると、第１の走査方向及び第１の走査方向に直交する第２の走査方向、すなわち、高速走査方向と低速走査方向とを有し、感光性アレイがチップ上に概ね矩形のフォトコレクション領域のアレイを含む感光性アレイが提供される。各フォトコレクション領域は第１及び第２の相補形を含み、１つのフォトコレクション領域の第１の相補形と、もう１つのフォトコレクション領域の第１の相補形とが１つのフォトサイトを形成している。また、１つのフォトコレクション領域の第２の相補形と、もう１つのフォトコレクション領域の第２の相補形とがもう１つのフォトサイトを形成している。各相補形は、フォトダイオードまたはフォトゲートなどの光電検出デバイスを有し、また各相補形の表面積は等しい。加えて、フォトサイトの幾何学的中心は同一直線上にある。この構成では高速走査方向への変調伝達関数を低下させ、これによりモアレパターンを低減する。感光性アレイは線形アレイであっても二次元アレイであってもよい。二次元アレイは三原色のための３列のフォトコレクション領域を有することが好ましい。更に、１つの感光性アレイを用いて画像を走査してもよい。あるいは、感光性アレイは基体上に相補形のフォトサイトの第２の感光性アレイと隣接して実装される。ここで、この感光性アレイの最後の形状と第２の感光性アレイの最初の形状は相補形であることが好ましい。感光性アレイは、チップの一端から他端へ延在する概ね矩形の突合せ可能なフォトコレクション領域のアレイであることが好ましい。感光性アレイは同様のアレイと端部同士を組み合わされ、全幅アレイを形成することが好ましい。感光性アレイは端部同士を組み合わされて矩形の基体上に実装され、基体の一端から他端へ延在し全幅感光性アレイを形成することも可能である。相補形の例としては、三角形及び丸みのある三角形が挙げられる。
【００１１】
本発明の他の態様によると、高速走査方向と低速走査方向とを有し、感光性アレイがチップ上に概ね矩形のフォトコレクション領域のアレイを含む感光性アレイが提供される。各フォトコレクション領域は第１、第２、第３及び第４の相補形を含み、１つのフォトコレクション領域の第１及び第２の相補形と、もう１つのフォトコレクション領域の第１及び第２の相補形とが１つのフォトサイトを形成している。また、１つのフォトコレクション領域の第３及び第４の相補形と、もう１つのフォトコレクション領域の第３及び第４の相補形とがもう１つのフォトサイトを形成している。各相補形は、フォトダイオードまたはフォトゲートなどの光電検出デバイスを有し、また各相補形の表面積は等しい。加えて、フォトサイトは同一直線上にある。この構成では高速走査方向への変調伝達関数を低下させ、これによりモアレパターンを低減する。感光性アレイは線形アレイであっても二次元アレイであってもよい。二次元アレイは三原色のための３列のフォトコレクション領域を有することが好ましい。更に、１つの感光性アレイを用いて画像を走査してもよい。あるいは、感光性アレイは基体上に相補形のフォトサイトの第２の感光性アレイと隣接して実装される。ここで、この感光性アレイの最後の形状と第２の感光性アレイの最初の形状は相補形であることが好ましい。感光性アレイは、チップの一端から他端へ延在する概ね矩形の突合せ可能なフォトコレクション領域のアレイであることが好ましい。感光性アレイは同様のアレイと端部同士を組み合わされ、全幅アレイを形成することが好ましい。感光性アレイは端部同士を組み合わされて矩形の基体上に実装され、基体の一端から他端へ延在し全幅感光性アレイを形成することも可能である。相補形の例としては、三角形及び丸みのある三角形が挙げられる。
【００１２】
本発明の更に別の態様によると、高速走査方向と低速走査方向とを有し、感光性アレイがチップ上に概ね矩形のフォトコレクション領域のアレイを含む感光性アレイが提供される。各フォトコレクション領域は第１及び第２の楕円形を含み、１つのフォトコレクション領域の第１の楕円形と、もう１つのフォトコレクション領域の第１の楕円形とが１つのフォトサイトを形成している。また、１つのフォトコレクション領域の第２の楕円形と、もう１つのフォトコレクション領域の第２の楕円形とがもう１つのフォトサイトを形成している。各楕円形は、フォトダイオードまたはフォトゲートなどの光電検出デバイスを有し、また各楕円形の表面積は等しい。加えて、フォトサイトは同一直線上にある。この構成では高速走査方向への変調伝達関数を低下させ、これによりモアレパターンを低減する。感光性アレイは線形アレイであっても二次元アレイであってもよい。二次元アレイは三原色のための３列のフォトコレクション領域を有することが好ましい。更に、１つの感光性アレイを用いて画像を走査してもよい。あるいは、感光性アレイは基体上に相補形のフォトサイトの第２の感光性アレイと隣接して実装される。ここで、この感光性アレイの最後の形状と第２の感光性アレイの最初の形状は相補形であることが好ましい。感光性アレイは、チップの一端から他端へ延在する概ね矩形の突合せ可能なフォトコレクション領域のアレイであることが好ましい。感光性アレイは同様のアレイと端部同士を組み合わされ、全幅アレイを形成することが好ましい。感光性アレイは端部同士を組み合わされて矩形の基体上に実装され、基体の一端から他端へ延在し全幅感光性アレイを形成することも可能である。楕円形の例としては、円形が挙げられる。
【００１３】
本発明の更に別の態様によると、高速走査方向と低速走査方向とを有し、感光性アレイがチップ上に概ね矩形のフォトコレクション領域のアレイを含む感光性アレイが提供される。各フォトコレクション領域は第１、第２、第３及び第４の楕円形を含み、１つのフォトコレクション領域の第１及び第２の楕円形と、もう１つのフォトコレクション領域の第１及び第２の楕円形とが１つのフォトサイトを形成している。また、１つのフォトコレクション領域の第３及び第４の楕円形と、もう１つのフォトコレクション領域の第３及び第４の楕円形とがもう１つのフォトサイトを形成している。各楕円形は、フォトダイオードまたはフォトゲートなどの光電検出デバイスを有し、また各楕円形の表面積は等しい。加えて、フォトサイトは同一直線上にある。この構成では高速走査方向への変調伝達関数を低下させ、これによりモアレパターンを低減する。感光性アレイは線形アレイであっても二次元アレイであってもよい。例えば、二次元アレイは三原色のための３列のフォトコレクション領域を有していてもよい。更に、１つの感光性アレイを用いて画像を走査してもよい。あるいは、感光性アレイは基体上に相補形のフォトサイトの第２の感光性アレイと隣接して実装される。ここで、この感光性アレイの最後の形状と第２の感光性アレイの最初の形状は相補形であることが好ましい。感光性アレイは、チップの一端から他端へ延在する概ね矩形の突合せ可能なフォトコレクション領域のアレイであることが好ましい。感光性アレイは同様のアレイと端部同士を組み合わされ、全幅アレイを形成することが好ましい。感光性アレイは端部同士を組み合わされて矩形の基体上に実装され、基体の一端から他端へ延在し全幅感光性アレイを形成することも可能である。楕円形の例としては、円形が挙げられる。
【００１４】
本発明の実施形態のチップは１つのチップとして用いることもでき、また全幅アレイを形成するために組み合わせて用いることもできる。チップは、文書を走査してデジタル画像信号を発生するラスタスキャナ；ラスタ入力スキャナから受け取った画像信号に基づいてラスタ出力スキャナに光導電ベルトを露光するよう命令し、静電潜像を形成させるコントローラ；静電潜像にトナーを塗布する現像装置；潜像のトナーを紙に転写する転写ステーション；及びトナーを紙に半永久的に付着させる定着装置を含むデジタルコピー機に組み込まれることができる。ラスタ入力スキャナは、概ね矩形の突合せ可能なフォトコレクション領域のアレイを形成する基体に実装された複数の概ね矩形のチップを含む。各相補形は光電検出デバイスを有し、各相補形の表面積は等しく、フォトサイトは同一直線上にある。各フォトコレクション領域は第１及び第２の相補形を含むことができ、１つのフォトコレクション領域の第１の相補形と、もう１つのフォトコレクション領域の第１の相補形とが１つのフォトサイトを形成している。また、１つのフォトコレクション領域の第２の相補形と、もう１つのフォトコレクション領域の第２の相補形とが第２のフォトサイトを形成している。あるいは、各フォトコレクション領域は第１、第２、第３及び第４の相補形を含むことができ、１つのフォトコレクション領域の第１及び第２の相補形と、もう１つのフォトコレクション領域の第１及び第２の相補形とが１つのフォトサイトを形成している。また、１つのフォトコレクション領域の第３及び第４の相補形と、もう１つのフォトコレクション領域の第３及び第４の相補形とがもう１つのフォトサイトを形成している。相補形の例としては、三角形、丸みのある三角形、楕円形及び円形が挙げられる。
【００１５】
【発明の実施の形態】
以下に述べる図面の各々には、複数のチップ１０からなる感光性アレイに沿って並置された共通領域における２つの感光性チップ１０の関連部分の平面図が示される。各チップ１０はシリコンまたは他の半導体材料でできていることが好ましい。各平面図では、チップ１０の感光性構造を備えた主表面のみが示されている。並置されたチップ１０の間の領域は、各チップ１０のエッジ間の間隔を表す非常に狭い間隙３０となっている。各チップ１０は、主表面に各チップ１０の一端から他端へ延在し、各チップ１０上に感光性アレイを形成する複数のフォトサイトを含む。各フォトサイトは、各チップ１０に光センサを形成する回路（図示せず）と関連する有効感光性領域を表す。各フォトサイトは１つまたはそれより多くの、例えばフォトダイオードやフォトゲートなどの光電検出デバイスを含む。
【００１６】
チップ１０はそれ自体が画像を走査する走査デバイスとして用いられてもよい。チップ１０は画像を読み取り、モアレパターンを低減させるための単一のチップとして用いることもできるが、基体２０上に複数のチップ１０を端部同士を組み合わせて実装し、文書上の画像を読み取るための全幅感光性アレイを形成することが好ましい。全幅感光性アレイは少なくとも文書の一側面と同じ長さを有することが好ましい。しかしながら、チップ１０は感光性ＣＣＤアレイまたは他の感光性アレイを表すものであってもよく、これらのチップ１０を組み合わせて全幅感光性アレイを形成してもよい。本発明の目的のために、各感光性アレイの最も関連の深い特質は幾何学的形状及びフォトサイトの間隔であり、本発明の好適な実施形態は、基体２０上に端部同士を組み合わせて実装された、好ましくはアルミナなどのセラミックでできたチップ１０上の感光性アレイである。
【００１７】
図４乃至図１９は、画像品質を改良するためにモアレパターンを低減させるため、より広域にわたりフォトサイトを拡張することによりＸ方向即ち高速走査方向の変調伝達関数を低下させる、本発明の好適な実施形態を示す。さらに、各チップ１０のエッジに近い各外側のフォトサイトは、その形状に関わらず、各内側のフォトサイトにより定義される表面積と等しい表面積を有することが好ましい。各フォトサイトにより定義される表面積を等しくすることにより、フォトサイトのタイプに関わらず全フォトサイトの全ての光感度を実質上等しくすることができる。さらに、実施形態のうちのいくつかでは、突合せ可能なフォトサイトまたはフォトコレクション領域が用いられる。これは、チップのエッジに最も近いフォトサイトまたはフォトコレクション領域のエッジも、チップのエッジと平行であることを意味する。さらに、感光性アレイは画像を走査する走査デバイスの中で用いられてもよい。即ち１つまたはそれ以上の感光性アレイと並置されてもよい。本発明の各実施形態における各チップ１０は単一のチップとしての用途もあり、また全幅アレイを形成してもよい。さらに、当業者には、正方形は矩形に含まれ、円形は楕円に含まれることが理解される。
【００１８】
図４は、各々が本発明の第１の実施形態に従った幾何学的形状をもつ線型感光性アレイを有する複数のチップ１０を含む全幅線型感光性アレイに沿って並置された共通領域における２つのチップ１０の関連部分の平面図を示す。第１の実施形態では、線型感光性アレイは概ね矩形の突合せ可能なフォトコレクション領域１００のアレイを含み、各フォトコレクション領域１００は２つの相補的な三角形１０５を含む。各チップ１００は記号１００F（最初の突合せ可能な矩形のフォトコレクション領域）及び１００L（最後の突合せ可能な矩形のフォトコレクション領域）で表される２つの外側のフォトコレクション領域を含む。その他の突合せ可能な矩形のフォトコレクション領域１００は内側のフォトコレクション領域である。全てのフォトコレクション領域はチップ１０上で表面積が等しく、また規則的に離間されていることが好ましい。各相補的な三角形１０５は１つのフォトダイオード、フォトゲートまたは他の光電検出デバイスからなることが好ましい。
【００１９】
図５は、各々が本発明の第２の実施形態に従った幾何学的形状をもつ二次元感光性アレイを有する複数のチップ１０を含む全幅二次元感光性アレイに沿って並置された共通領域における２つのチップ１０の関連部分の平面図を示す。三原色のための３列の幾何学的形状があることが好ましい。第２の実施形態では、二次元感光性アレイは概ね矩形の突合せ可能なフォトコレクション領域１００のアレイを含み、各フォトコレクション領域１００は２つの相補的な三角形１０５を含む。各チップ１０は記号１００F（最初の突合せ可能な矩形のフォトコレクション領域）及び１００L（最後の突合せ可能な矩形のフォトコレクション領域）で表される外側のフォトコレクション領域を含む。その他の突合せ可能な矩形のフォトコレクション領域１００は内側のフォトコレクション領域である。全てのフォトコレクション領域はチップ１０上で表面積が等しく、また規則的に離間されていることが好ましい。各相補的な三角形１０５は１つのフォトダイオード、フォトゲートまたは他の光電検出デバイスからなることが好ましい。
【００２０】
第１及び第２の実施形態において、１つのフォトコレクション領域１００の第１の相補的な三角形１０５Aともう１つのフォトコレクション領域１００の第１の相補的な三角形１０５Cとが１つのフォトサイトを形成する。また、１つのフォトコレクション領域１００の第２の相補的な三角形１０５Bともう１つのフォトコレクション領域１００の第２の相補的な三角形１０５Dとがもう１つのフォトサイトを形成する。第１及び第２の実施形態の幾何学的構成の利点は、これらの実施形態が、フォトサイトをより広い範囲に拡張することによりＸ方向即ち高速走査方向への変調伝達関数を低下させ、それによりモアレパターンを減少させ、画像品質を改良する点である。加えて、フォトサイトの全ての幾何学的中心は同一直線上にあり、外側のフォトコレクション領域１００F及び１００Lは突合せ可能であり、これにより画像品質がさらに向上する。さらに、それぞれのフォトコレクション領域１００内にある相補的な三角形１０５A乃至１０５Dの位置は、相補的な三角形１０５A乃至１０５Dの位置をそれぞれのフォトコレクション領域１００内で９０度、１８０度、または２７０度回転させることにより変えることができる。従って、フォトサイトの表面積を２つのフォトコレクション領域１００にわたって拡張する場合、幾つかの異なる幾何学的構成が生み出され得る。
【００２１】
図６は、各々が本発明の第３の実施形態に従った幾何学的形状をもつ線型感光性アレイを有する複数のチップ１０を含む全幅線型感光性アレイに沿って並置された共通領域における２つのチップ１０の関連部分の平面図を示す。第３の実施形態では、線型感光性アレイは概して突合せ可能な矩形のフォトコレクション領域１１０のアレイを含み、各フォトコレクション領域１１０は４つの相補的な三角形１１５を含む。各チップ１０は、１１０F（最初の突合せ可能な矩形のフォトコレクション領域）及び１１０L（最後の突合せ可能な矩形のフォトコレクション領域）で表される２つの外側のフォトコレクション領域を有する。それ以外の突合せ可能な矩形のフォトコレクション領域１１０は内側のフォトコレクション領域である。全てのフォトコレクション領域はチップ１０上で表面積が等しく、また規則的に離間されていることが好ましい。各相補的な三角形１１５は１つのフォトダイオード、フォトゲートまたは他の光電検出デバイスからなることが好ましい。
【００２２】
図７は、各々が本発明の第４の実施形態に従った幾何学的形状をもつ二次元感光性アレイを有する複数のチップ１０を含む全幅二次元感光性アレイに沿って並置された共通領域における２つのチップ１０の関連部分の平面図を示す。三原色のために、３列の幾何学的形状があることが好ましい。第４の実施形態では、二次元感光性アレイは概して突合せ可能な矩形のフォトコレクション領域１１０のアレイを含み、各フォトコレクション領域１１０は４つの相補的な三角形１１５を含む。各チップ１０は、１１０F（最初の突合せ可能な矩形のフォトコレクション領域）及び１１０L（最後の突合せ可能な矩形のフォトコレクション領域）で表される外側のフォトコレクション領域を有する。それ以外の突合せ可能な矩形のフォトコレクション領域１１０は内側のフォトコレクション領域である。全てのフォトコレクション領域はチップ１０上で表面積が等しく、また規則的に離間されていることが好ましい。各相補的な三角形１１５は１つのフォトダイオード、フォトゲートまたは他の光電検出デバイスからなることが好ましい。
【００２３】
第３及び第４の実施形態では、１つのフォトコレクション領域１１０の第１の相補的な三角形１１５A及び第２の相補的な三角形１１５Bと、もう１つのフォトコレクション領域１１０の第１の相補的な三角形１１５C及び第２の相補的な三角形１１５Dとが１つのフォトサイトを形成する。また、１つのフォトコレクション領域１１０の第３の相補的な三角形１１５W及び第４の相補的な三角形１１５Xと、別のフォトコレクション領域１１０の第３の相補的な三角形１１５Y及び第４の相補的な三角形１１５Zとが別のフォトサイトを形成する。第３及び第４の実施形態の幾何学的構成の利点は、これらの実施形態は、フォトサイトをより広い範囲に拡張することによりＸ方向即ち高速走査方向への変調伝達関数を低下させ、それによりモアレパターンを減少させ、画像品質を改良する点である。加えて、全てのフォトサイトの幾何学的中心は同一直線上にあり、またこれらは均等に離間されていることが好ましい。また、外側のフォトコレクション領域１００L及び１００Fは突合せ可能である。これらの要素により画像品質がさらに向上する。
【００２４】
さらに、１つのフォトサイトを形成する相補的な三角形１１５を替えることにより２つの異なるフォトコレクション領域１１０にわたりフォトサイトの表面積を拡張する場合、第３及び第４の実施形態において幾つかの異なる幾何学的構成が生み出され得る。例えば、相補的な三角形１１５A、１１５W、１１５Y、及び１１５Cが１つのフォトサイトを形成し、相補的な三角形１１５B、１１５X、１１５Z、及び１１５Dが別のフォトサイトを形成してもよい。別の例として、相補的な三角形１１５A、１１５W、１１５Z、及び１１５Dが１つのフォトサイトを形成し、相補的な三角形１１５B、１１５X、１１５Y、及び１１５Cが別のフォトサイトを形成してもよい。従って、２つの異なるフォトコレクション領域１１０にわたってフォトサイトの表面積を拡張する場合、幾つかの異なる幾何学的構成が生み出され得る。
【００２５】
加えて、第１乃至第４の実施形態では、異なるフォトコレクション領域の相補的な三角形を用いてフォトサイトの表面積をより大きい領域（２つのフォトコレクション領域）にわたって拡張したが、フォトサイトの表面積をより大きい領域にわたって拡張する際に、相補的な三角形の代わりに他の相補形を用いてもよいことがわかる。また、フォトサイトは必ずしも隣接するフォトコレクション領域の相補形から形成される必要はないこともわかる。２つまたはそれより多くのフォトコレクション領域の１つまたはそれより多くの相補形が電気的に結合され、１つのフォトサイトを形成することもできる。
【００２６】
図８は、各々が本発明の第５の実施形態に従った幾何学的形状をもつ線型感光性アレイを有する複数のチップ１０を含む全幅線型感光性アレイに沿って並置された共通領域における２つのチップ１０の関連部分の平面図を示す。第５の実施形態では、線型感光性アレイは概ね矩形の突合せ可能なフォトコレクション領域１２０のアレイを含み、各フォトコレクション領域１２０は２つの相補的な丸みのある三角形１２５を含む。各チップ１０は、１２０F（最初の突合せ可能な矩形のフォトコレクション領域）及び１２０L（最後の突合せ可能な矩形のフォトコレクション領域）で表される２つの外側のフォトコレクション領域を有する。それ以外の突合せ可能な矩形のフォトコレクション領域１２０は内側のフォトコレクション領域である。全てのフォトコレクション領域はチップ１０上で表面積が等しく、また規則的に離間されていることが好ましい。各相補的な丸みのある三角形１２５は１つのフォトダイオード、フォトゲートまたは他の光電検出デバイスからなることが好ましい。
【００２７】
図９は、各々が本発明の第６の実施形態に従った幾何学的形状をもつ二次元感光性アレイを有する複数のチップ１０を含む全幅二次元感光性アレイに沿って並置された共通領域における２つのチップ１０の関連部分の平面図を示す。三原色のために、３列の幾何学的形状があることが好ましい。第６の実施形態では、二次元感光性アレイは概ね矩形の突合せ可能なフォトコレクション領域１２０のアレイを含み、各フォトコレクション領域１２０は２つの相補的な丸みのある三角形１２５を含む。各チップ１０は、１２０F（最初の突合せ可能な矩形のフォトコレクション領域）及び１２０L（最後の突合せ可能な矩形のフォトコレクション領域）で表される外側のフォトコレクション領域を有する。それ以外の突合せ可能な矩形のフォトコレクション領域１２０は内側のフォトコレクション領域である。全てのフォトコレクション領域はチップ１０上で表面積が等しく、また規則的に離間されていることが好ましい。各相補的な丸みのある三角形１２５は１つのフォトダイオード、フォトゲートまたは他の光電検出デバイスからなることが好ましい。
【００２８】
第５及び第６の実施形態では、１つのフォトコレクション領域１２０の第１の相補的な丸みのある三角形１２５Aと、もう１つのフォトコレクション領域１２０の第１の相補的な丸みのある三角形１２５Cとが１つのフォトサイトを形成する。また、１つのフォトコレクション領域１２０の第２の相補的な丸みのある三角形１２５Bと、別のフォトコレクション領域１２０の第１の相補的な丸みのある三角形１２５Dとが別のフォトサイトを形成する。第５及び第６の実施形態の幾何学的構成の利点は、これらの実施形態は、フォトサイトをより広い範囲に拡張することによりＸ方向即ち高速走査方向への変調伝達関数を低下させ、それによりモアレパターンを減少させ、画像品質を改良する点である。加えて、フォトサイトの全ての幾何学的中心は同一直線上にあり、外側のフォトコレクション領域１２０F及び１２０Lは突合せ可能であり、これにより画像品質がさらに向上する。さらに、それぞれのフォトコレクション領域１２０内にある相補的な丸みのある三角形１２５A乃至１２５Dの位置は、相補的な丸みのある三角形１２５A乃至１２５Dの位置をそれぞれのフォトコレクション領域１２０内で９０度、１８０度、または２７０度回転させることにより変えることができる。従って、フォトサイトの表面積を２つの異なるフォトコレクション領域１２０にわたって拡張する場合、幾つかの異なる幾何学的構成が生み出され得る。
【００２９】
図１０は、各々が本発明の第７の実施形態に従った幾何学的形状をもつ線型感光性アレイを有する複数のチップ１０を含む全幅線型感光性アレイに沿って並置された共通領域における２つのチップ１０の関連部分の平面図を示す。第７の実施形態では、線型感光性アレイは概して突合せ可能な矩形のフォトコレクション領域１３０のアレイを含み、各フォトコレクション領域１３０は４つの相補的な丸みのある三角形１３５を含む。各チップ１０は、１３０F（最初の突合せ可能な矩形のフォトコレクション領域）及び１３０L（最後の突合せ可能な矩形のフォトコレクション領域）で表される２つの外側のフォトコレクション領域を有する。それ以外の突合せ可能な矩形のフォトコレクション領域１３０は内側のフォトコレクション領域である。全てのフォトコレクション領域はチップ１０上で表面積が等しく、また規則的に離間されていることが好ましい。各相補的な丸みのある三角形１３５は１つのフォトダイオード、フォトゲートまたは他の光電検出デバイスからなることが好ましい。
【００３０】
図１１は、各々が本発明の第８の実施形態に従った幾何学的形状をもつ二次元感光性アレイを有する複数のチップ１０を含む全幅二次元感光性アレイに沿って並置された共通領域における２つのチップ１０の関連部分の平面図を示す。三原色のために、３列の幾何学的形状があることが好ましい。第８の実施形態では、二次元感光性アレイは概して突合せ可能な矩形のフォトコレクション領域１３０のアレイを含み、各フォトコレクション領域１３０は４つの相補的な丸みのある三角形１３５を含む。各チップ１０は、１３０F（最初の突合せ可能な矩形のフォトコレクション領域）及び１３０L（最後の突合せ可能な矩形のフォトコレクション領域）で表される外側のフォトコレクション領域を有する。それ以外の突合せ可能な矩形のフォトコレクション領域１３０は内側のフォトコレクション領域である。全てのフォトコレクション領域はチップ１０上で表面積が等しく、また規則的に離間されていることが好ましい。各相補的な丸みのある三角形１３５は１つのフォトダイオード、フォトゲートまたは他の光電検出デバイスからなることが好ましい。
【００３１】
第７及び第８の実施形態では、１つのフォトコレクション領域１３０の第１の相補的な丸みのある三角形１３５A及び第２の相補的な丸みのある三角形１３５Bと、もう１つのフォトコレクション領域１３０の第１の相補的な丸みのある三角形１３５C及び第２の相補的な丸みのある三角形１３５Dとが１つのフォトサイトを形成する。また、１つのフォトコレクション領域１３０の第３の相補的な丸みのある三角形１３５W及び第４の相補的な丸みのある三角形１３５Xと、別のフォトコレクション領域１３０の第３の相補的な丸みのある三角形１３５Y及び第４の相補的な丸みのある三角形１３５Zとが別のフォトサイトを形成する。第７及び第８の実施形態の幾何学的構成の利点は、これらの実施形態は、フォトサイトをより広い範囲に拡張することによりＸ方向即ち高速走査方向への変調伝達関数を低下させ、それによりモアレパターンを減少させ、画像品質を改良する点である。加えて、全てのフォトサイトの幾何学的中心は同一直線上にあり、またこれらは均等に離間されていることが好ましい。また、外側のフォトコレクション領域１３０L及び１３０Fは突合せ可能である。これらの要素により画像品質がさらに向上する。
【００３２】
さらに、１つのフォトサイトを形成する相補的な丸みのある三角形１３５を替えることにより２つの異なるフォトコレクション領域１３０にわたりフォトサイトの表面積を拡張する場合、第７及び第８の実施形態において幾つかの異なる幾何学的構成が生み出され得る。例えば、相補的な丸みのある三角形１３５A、１３５W、１３５Y、及び１３５Cが１つのフォトサイトを形成し、相補的な丸みのある三角形１３５B、１３５X、１３５Z、及び１３５Dが別のフォトサイトを形成することができる。従って、２つの異なるフォトコレクション領域１３０にわたって１つのフォトサイトの表面積を拡張する場合、幾つかの異なる幾何学的構成が生み出され得る。
【００３３】
加えて、第５乃至第８の実施形態では、異なるフォトコレクション領域の相補的な丸みのある三角形を用いてフォトサイトの表面積をより大きい領域（２つのフォトコレクション領域）にわたって拡張したが、フォトサイトの表面積をより大きい領域にわたって拡張する際に、相補的な丸みのある三角形の代わりに他の相補形を用いてもよいことがわかる。また、フォトサイトは必ずしも隣接するフォトコレクション領域の相補形から形成される必要はないこともわかる。２つまたはそれより多くのフォトコレクション領域の１つまたはそれより多くの相補形が電気的に結合され、１つのフォトサイトを形成することもできる。
【００３４】
図１２は、各々が本発明の第９の実施形態に従った幾何学的形状をもつ線型感光性アレイを有する複数のチップ１０を含む全幅線型感光性アレイに沿って並置された共通領域における２つのチップ１０の関連部分の平面図を示す。第９の実施形態では、線型感光性アレイは概ね矩形の突合せ可能なフォトコレクション領域１４０のアレイを含み、各フォトコレクション領域１４０は２つの楕円形１４５を含む。各チップ１０は、１４０F（最初の突合せ可能な矩形のフォトコレクション領域）及び１４０L（最後の突合せ可能な矩形のフォトコレクション領域）で表される２つの外側のフォトコレクション領域を有する。それ以外の突合せ可能な矩形のフォトコレクション領域１４０は内側のフォトコレクション領域である。全てのフォトコレクション領域はチップ１０上で表面積が等しく、また規則的に離間されていることが好ましい。各楕円形１４５は１つのフォトダイオード、フォトゲートまたは他の光電検出デバイスからなることが好ましい。
【００３５】
図１３は、各々が本発明の第１０の実施形態に従った幾何学的形状をもつ二次元感光性アレイを有する複数のチップ１０を含む全幅二次元感光性アレイに沿って並置された共通領域における２つのチップ１０の関連部分の平面図を示す。三原色のために、３列の幾何学的形状があることが好ましい。第１０の実施形態では、二次元感光性アレイは概ね矩形の突合せ可能なフォトコレクション領域１４０のアレイを含み、各フォトコレクション領域１４０は２つの楕円形１４５を含む。各チップ１０は、１４０F（最初の突合せ可能な矩形のフォトコレクション領域）及び１４０L（最後の突合せ可能な矩形のフォトコレクション領域）で表される外側のフォトコレクション領域を有する。それ以外の突合せ可能な矩形のフォトコレクション領域１４０は内側のフォトコレクション領域である。全てのフォトコレクション領域はチップ１０上で表面積が等しく、また規則的に離間されていることが好ましい。各楕円形１４５は１つのフォトダイオード、フォトゲートまたは他の光電検出デバイスからなることが好ましい。
【００３６】
第９及び第１０の実施形態では、１つのフォトコレクション領域１４０の第１の楕円形１４５Aと、もう１つのフォトコレクション領域１４０の第１の楕円形１４５Cとが１つのフォトサイトを形成する。また、１つのフォトコレクション領域１４０の第２の楕円形１４５Bと、別のフォトコレクション領域１４０の第２の楕円形１４５Dとが別のフォトサイトを形成する。第９及び第１０の実施形態の幾何学的構成の利点は、これらの実施形態は、フォトサイトをより広い範囲に拡張することによりＸ方向即ち高速走査方向への変調伝達関数を低下させ、それによりモアレパターンを減少させ、画像品質を改良する点である。加えて、フォトサイトの全ての幾何学的中心は同一直線上にあり、外側のフォトコレクション領域１４０F及び１４０Lは突合せ可能であり、これにより画像品質がさらに向上する。さらに、それぞれのフォトコレクション領域１４０内にある楕円形１４５A乃至１４５Dの位置は変えることができる。従って、フォトサイトの表面積を２つの異なるフォトコレクション領域１４０にわたって拡張する場合、幾つかの異なる幾何学的構成が生み出され得る。
【００３７】
図１４は、各々が本発明の第１１の実施形態に従った幾何学的形状をもつ線型感光性アレイを有する複数のチップ１０を含む全幅線型感光性アレイに沿って並置された共通領域における２つのチップ１０の関連部分の平面図を示す。第１１の実施形態では、線型感光性アレイは概して突合せ可能な矩形のフォトコレクション領域１５０のアレイを含み、各フォトコレクション領域１５０は４つの楕円形１５５を含む。各チップ１０は、１５０F（最初の突合せ可能な矩形のフォトコレクション領域）及び１５０L（最後の突合せ可能な矩形のフォトコレクション領域）で表される２つの外側のフォトコレクション領域を有する。それ以外の突合せ可能な矩形のフォトコレクション領域１５０は内側のフォトコレクション領域である。全てのフォトコレクション領域はチップ１０上で表面積が等しく、また規則的に離間されていることが好ましい。各楕円形１５５は１つのフォトダイオード、フォトゲートまたは他の光電検出デバイスからなることが好ましい。
【００３８】
図１５は、各々が本発明の第１２の実施形態に従った幾何学的形状をもつ二次元感光性アレイを有する複数のチップ１０を含む全幅二次元感光性アレイに沿って並置された共通領域における２つのチップ１０の関連部分の平面図を示す。三原色のために、３列の幾何学的形状があることが好ましい。第１２の実施形態では、二次元感光性アレイは概して突合せ可能な矩形のフォトコレクション領域１５０のアレイを含み、各フォトコレクション領域１５０は４つの楕円形１５５を含む。各チップ１０は、１５０F（最初の突合せ可能な矩形のフォトコレクション領域）及び１５０L（最後の突合せ可能な矩形のフォトコレクション領域）で表される外側のフォトコレクション領域を有する。それ以外の突合せ可能な矩形のフォトコレクション領域１５０は内側のフォトコレクション領域である。全てのフォトコレクション領域はチップ１０上で表面積が等しく、また規則的に離間されていることが好ましい。楕円形１５５は１つのフォトダイオード、フォトゲートまたは他の光電検出デバイスからなることが好ましい。
【００３９】
第１１及び第１２の実施形態では、１つのフォトコレクション領域１５０の第１の楕円形１５５A及び第２の楕円形１５５Bと、もう１つのフォトコレクション領域１５０の第１の楕円形１５５C及び第２の楕円形１５５Dとが１つのフォトサイトを形成する。また、１つのフォトコレクション領域１５０の第３の楕円形１５５W及び第４の楕円形１５５Xと、別のフォトコレクション領域１５０の第３の楕円形１５５Y及び第４の楕円形１５５Zとが別のフォトサイトを形成する。第１１及び第１２の実施形態の幾何学的構成の利点は、これらの実施形態は、フォトサイトをより広い範囲に拡張することによりＸ方向即ち高速走査方向への変調伝達関数を低下させ、それによりモアレパターンを減少させ、画像品質を改良する点である。加えて、全てのフォトサイトの幾何学的中心は同一直線上にあり、またこれらは均等に離間されていることが好ましい。また、外側のフォトコレクション領域１５０L及び１５０Fは突合せ可能である。これらの要素により画像品質がさらに向上する。
【００４０】
さらに、第１１及び第１２の実施形態では、１つのフォトサイトを形成する楕円形１５５を替えることにより２つの異なるフォトコレクション領域１５０にわたりフォトサイトの表面積を拡張する場合、幾つかの異なる幾何学的構成が生み出され得る。例えば、楕円形１５５A、１５５W、１５５Y、及び１５５Cが１つのフォトサイトを形成し、楕円形１５５B、１５５X、１５５Z、及び１５５Dが別のフォトサイトを形成することもできる。従って、２つの異なるフォトコレクション領域１５０にわたってフォトサイトの表面積を拡張する場合、幾つかの異なる幾何学的構成が生み出され得る。さらに、各々のフォトコレクション領域１５０内の楕円形１５５A乃至１５５Dの位置は変えることができる。
【００４１】
加えて、第９乃至第１２の実施形態では、異なるフォトコレクション領域の楕円形を用いてフォトサイトの表面積をより大きい領域（２つのフォトコレクション領域）にわたって拡張したが、フォトサイトの表面積をより大きい領域にわたって拡張する際に、楕円形の代わりに他の形状を用いてもよいことがわかる。また、フォトサイトは必ずしも隣接するフォトコレクション領域の楕円形から形成される必要はないこともわかる。２つまたはそれより多くのフォトコレクション領域の１つまたはそれより多くの楕円形が電気的に結合され、１つのフォトサイトを形成することもできる。
【００４２】
図１６は、各々が本発明の第１３の実施形態に従った幾何学的形状をもつ線型感光性アレイを有する複数のチップ１０を含む全幅線型感光性アレイに沿って並置された共通領域における２つのチップ１０の関連部分の平面図を示す。第１３の実施形態では、線型感光性アレイは概ね矩形の突合せ可能なフォトコレクション領域１６０のアレイを含み、各フォトコレクション領域１６０は２つの円形１６５を含む。各チップ１０は、１６０F（最初の突合せ可能な矩形のフォトコレクション領域）及び１６０L（最後の突合せ可能な矩形のフォトコレクション領域）で表される２つの外側のフォトコレクション領域を有する。それ以外の突合せ可能な矩形のフォトコレクション領域１６０は内側のフォトコレクション領域である。全てのフォトコレクション領域はチップ１０上で表面積が等しく、また規則的に離間されていることが好ましい。各円形１６５は１つのフォトダイオード、フォトゲートまたは他の光電検出デバイスからなることが好ましい。
【００４３】
図１７は、各々が本発明の第１４の実施形態に従った幾何学的形状をもつ二次元感光性アレイを有する複数のチップ１０を含む全幅二次元感光性アレイに沿って並置された共通領域における２つのチップ１０の関連部分の平面図を示す。三原色のために、３列の幾何学的形状があることが好ましい。第１４の実施形態では、二次元感光性アレイは概ね矩形の突合せ可能なフォトコレクション領域１６０のアレイを含み、各フォトコレクション領域１６０は２つの円形１６５を含む。各チップ１０は、１６０F（最初の突合せ可能な矩形のフォトコレクション領域）及び１６０L（最後の突合せ可能な矩形のフォトコレクション領域）で表される外側のフォトコレクション領域を有する。それ以外の突合せ可能な矩形のフォトコレクション領域１６０は内側のフォトコレクション領域である。全てのフォトコレクション領域はチップ１０上で表面積が等しく、また規則的に離間されていることが好ましい。各円形１６５は１つのフォトダイオード、フォトゲートまたは他の光電検出デバイスからなることが好ましい。
【００４４】
第１３及び第１４の実施形態では、１つのフォトコレクション領域１６０の第１の円形１６５Aと、もう１つのフォトコレクション領域１６０の第１の円形１６５Cとが１つのフォトサイトを形成する。また、１つのフォトコレクション領域１６０の第２の円形１６５Bと、別のフォトコレクション領域１６０の第２の円形１６５Dとが別のフォトサイトを形成する。第１３及び第１４の実施形態の幾何学的構成の利点は、これらの実施形態は、フォトサイトをより広い範囲に拡張することによりＸ方向即ち高速走査方向への変調伝達関数を低下させ、それによりモアレパターンを減少させ、画像品質を改良する点である。加えて、フォトサイトの全ての幾何学的中心は同一直線上にあり、外側のフォトコレクション領域１６０F及び１６０Lは突合せ可能であり、これにより画像品質がさらに向上する。さらに、それぞれのフォトコレクション領域１６０内にある円形１６５A乃至１６５Dの位置は変えることができる。従って、フォトサイトの表面積を２つのフォトコレクション領域１６０にわたって拡張する場合、幾つかの異なる幾何学的構成が生み出され得る。
【００４５】
図１８は、各々が本発明の第１５の実施形態に従った幾何学的形状をもつ線型感光性アレイを有する複数のチップ１０を含む全幅線型感光性アレイに沿って並置された共通領域における２つのチップ１０の関連部分の平面図を示す。第１５の実施形態では、線型感光性アレイは概して突合せ可能な矩形のフォトコレクション領域１７０のアレイを含み、各フォトコレクション領域１７０は４つの円形１７５を含む。各チップ１０は、１７０F（最初の突合せ可能な矩形のフォトコレクション領域）及び１７０L（最後の突合せ可能な矩形のフォトコレクション領域）で表される２つの外側のフォトコレクション領域を有する。それ以外の突合せ可能な矩形のフォトコレクション領域１７０は内側のフォトコレクション領域である。全てのフォトコレクション領域はチップ１０上で表面積が等しく、また規則的に離間されていることが好ましい。各円形１７５は１つのフォトダイオード、フォトゲートまたは他の光電検出デバイスからなることが好ましい。
【００４６】
図１９は、各々が本発明の第１６の実施形態に従った幾何学的形状をもつ二次元感光性アレイを有する複数のチップ１０を含む全幅二次元感光性アレイに沿って並置された共通領域における２つのチップ１０の関連部分の平面図を示す。三原色のために、３列の幾何学的形状があることが好ましい。第１６の実施形態では、二次元感光性アレイは概して突合せ可能な矩形のフォトコレクション領域１７０のアレイを含み、各フォトコレクション領域１７０は４つの円形１７５を含む。各チップ１０は、１７０F（最初の突合せ可能な矩形のフォトコレクション領域）及び１７０L（最後の突合せ可能な矩形のフォトコレクション領域）で表される外側のフォトコレクション領域を有する。それ以外の突合せ可能な矩形のフォトコレクション領域１７０は内側のフォトコレクション領域である。全てのフォトコレクション領域はチップ１０上で表面積が等しく、また規則的に離間されていることが好ましい。各円形１７５は１つのフォトダイオード、フォトゲートまたは他の光電検出デバイスからなることが好ましい。
【００４７】
第１５及び第１６の実施形態では、１つのフォトコレクション領域１７０の第１の円形１７５A及び第２の円形１７５Bと、もう１つのフォトコレクション領域１７０の第１の円形１７５C及び第２の円形１７５Dとが１つのフォトサイトを形成する。また、１つのフォトコレクション領域１７０の第３の円形１７５W及び第４の円形１７５Xと、別のフォトコレクション領域１７０の第３の円形１７５Y及び第４の円形１７５Zとが別のフォトサイトを形成する。第１５及び第１６の実施形態の幾何学的構成の利点は、これらの実施形態は、フォトサイトをより広い範囲に拡張することによりＸ方向即ち高速走査方向への変調伝達関数を低下させ、それによりモアレパターンを減少させ、画像品質を改良する点である。加えて、全てのフォトサイトの幾何学的中心は同一直線上にあり、またこれらは均等に離間されていることが好ましい。また、外側のフォトコレクション領域１７０L及び１７０Fは突合せ可能である。これらの要素により画像品質がさらに向上する。
【００４８】
さらに、第１５及び第１６の実施形態では、１つのフォトサイトを形成する円形１７５を替えることにより２つの異なるフォトコレクション領域１７０にわたりフォトサイトの表面積を拡張する場合、幾つかの異なる幾何学的構成が生み出され得る。例えば、円形１７５A、１７５W、１７５Y、及び１７５Cが１つのフォトサイトを形成し、円形１７５B、１７５X、１７５Z、及び１７５Dが別のフォトサイトを形成することもできる。従って、２つの異なるフォトコレクション領域１７０にわたってフォトサイトの表面積を拡張する場合、幾つかの異なる幾何学的構成が生み出され得る。さらに、各々のフォトコレクション領域１７０内の円形１７５A乃至１７５Dの位置は変えることができる。
【００４９】
加えて、第１３乃至第１６の実施形態では、異なるフォトコレクション領域の円形を用いてフォトサイトの表面積をより大きい領域（２つのフォトコレクション領域）にわたって拡張したが、フォトサイトの表面積をより大きい領域にわたって拡張する際に、円形の代わりに他の形状を用いてもよいことがわかる。また、第１３乃至第１６の実施形態のフォトサイトは必ずしも隣接するフォトコレクション領域の円形から形成される必要はないこともわかる。２つまたはそれより多くのフォトコレクション領域の１つまたはそれより多くの円形が電気的に結合され、１つのフォトサイトを形成することもできる。
【００５０】
本発明は前記概要のとおり特定の好適な実施形態を用いて詳述したが多くの変更、変形が存在し得ることは当業者には明白であろう。本発明は、これらの変更及び変形、ならびに当業者の考え得る実施形態は全て前記請求項の範囲内にあることを意図している。
【図面の簡単な説明】
【図１】本発明に関連する感光性アレイを形成する複数の組み合わされた感光性チップが実装された基体を示す斜視図である。
【図２】従来技術の、隣接する２つの感光性チップ上のフォトサイトの感光性アレイを示す平面図である。
【図３】従来技術の、通常のフォトサイトと端部のフォトサイトとが示された、隣接する２つの感光性チップの一部を示す平面図である。
【図４】本発明の第１の好適な実施形態における、隣接する２つの感光性チップ上のフォトサイトの感光性アレイの一部を示す平面図である。
【図５】本発明の第２の好適な実施形態における、隣接する２つの感光性チップ上のフォトサイトの感光性アレイの一部を示す平面図である。
【図６】本発明の第３の好適な実施形態における、隣接する２つの感光性チップ上のフォトサイトの感光性アレイの一部を示す平面図である。
【図７】本発明の第４の好適な実施形態における、隣接する２つの感光性チップ上のフォトサイトの感光性アレイの一部を示す平面図である。
【図８】本発明の第５の好適な実施形態における、隣接する２つの感光性チップ上のフォトサイトの感光性アレイの一部を示す平面図である。
【図９】本発明の第６の好適な実施形態における、隣接する２つの感光性チップ上のフォトサイトの感光性アレイの一部を示す平面図である。
【図１０】本発明の第７の好適な実施形態における、隣接する２つの感光性チップ上のフォトサイトの感光性アレイの一部を示す平面図である。
【図１１】本発明の第８の好適な実施形態における、隣接する２つの感光性チップ上のフォトサイトの感光性アレイの一部を示す平面図である。
【図１２】本発明の第９の好適な実施形態における、隣接する２つの感光性チップ上のフォトサイトの感光性アレイの一部を示す平面図である。
【図１３】本発明の第１０の好適な実施形態における、隣接する２つの感光性チップ上のフォトサイトの感光性アレイの一部を示す平面図である。
【図１４】本発明の第１１の好適な実施形態における、隣接する２つの感光性チップ上のフォトサイトの感光性アレイの一部を示す平面図である。
【図１５】本発明の第１２の好適な実施形態における、隣接する２つの感光性チップ上のフォトサイトの感光性アレイの一部を示す平面図である。
【図１６】本発明の第１３の好適な実施形態における、隣接する２つの感光性チップ上のフォトサイトの感光性アレイの一部を示す平面図である。
【図１７】本発明の第１４の好適な実施形態における、隣接する２つの感光性チップ上のフォトサイトの感光性アレイの一部を示す平面図である。
【図１８】本発明の第１５の好適な実施形態における、隣接する２つの感光性チップ上のフォトサイトの感光性アレイの一部を示す平面図である。
【図１９】本発明の第１６の好適な実施形態における、隣接する２つの感光性チップ上のフォトサイトの感光性アレイの一部を示す平面図である。
【符号の説明】
１０  感光性チップ
【図１】
0004301663.tif 000002
【図２】
0004301663.tif 000003
【図３】
0004301663.tif 000004
【図４】
0004301663.tif 000005
【図５】
0004301663.tif 000006
【図６】
0004301663.tif 000007
【図７】
0004301663.tif 000008
【図８】
0004301663.tif 000009
【図９】
0004301663.tif 000010
【図１０】
0004301663.tif 000011
【図１１】
0004301663.tif 000012
【図１２】
0004301663.tif 000013
【図１３】
0004301663.tif 000014
【図１４】
0004301663.tif 000015
【図１５】
0004301663.tif 000016
【図１６】
0004301663.tif 000017
【図１７】
0004301663.tif 000018
【図１８】
0004301663.tif 000019
【図１９】
0004301663.tif 000020